(57)【特許請求の範囲】
【請求項１】
固定保持用の外枠および前記外枠に開閉自在に取り付けられる前枠を備えた遊技機の側部上下に配設されて、前記前枠を前記外枠に対して揺動開閉自在にヒンジ接続させる上下一対のヒンジ機構において、
前記上下一対のヒンジ機構における上側のヒンジ機構は、
前記前枠の側部上側に固設された上部揺動金具と、
前記外枠の側部上側に固設され、前記外枠に固定される固定側基部および、前記固定側基部に繋がって水平に突出する固定側板状部を有し、前記固定側板状部の上面を支持面として前記上部揺動金具を揺動自在に支持する上部固定金具とを備え、
前記固定側基部に、前記外枠に対し前記前枠を閉鎖した状態で前記上部揺動金具の上方に位置するとともに前記上部揺動金具の上方への移動を規制する庇部が設けられており、
前記上下一対のヒンジ機構における下側のヒンジ機構は、
前記外枠の側部下側に固設され、上方に突出した軸部を有する下部固定金具と、
前記前枠の側部下側に固設され、水平に突出する板状部を有して、前記板状部に前記軸部と係合する軸孔および前記軸孔に繋がって延びるガイド孔とからなるＵ字状の軸収容孔が形成された下部揺動金具と、
前記板状部の下面側に設けられ、前記軸部が前記軸孔に位置するときに前記軸部と係合可能な弾性を有する軸係合部材とを備え、
前記軸係合部材に、前記軸部と係合可能な軸係合部と前記軸係合部に繋がって延びるガイド部とが形成されており、
前記下部固定金具は、前記軸部が前記軸孔に位置した状態で、前記軸係合部材を介して前記下部揺動金具を揺動自在に支持し、
前記軸部が前記板状部の前記ガイド孔内に導入されると前記ガイド部に当接し、前記軸部が前記ガイド孔に沿って前記軸孔へ移動するときに前記軸係合部材が前記軸部に押し広げられるように弾性変形し、前記軸部が前記軸孔に位置すると前記軸係合部材が復元し前記軸係合部が前記軸部と係合して、前記軸部の前記ガイド孔への移動が規制されるように構成されていることを特徴とする遊技機のヒンジ機構。
【発明の詳細な説明】
【０００１】
【発明の属する技術分野】
本発明は、ベース部材と開閉部材との間に配設されて、ベース部材と開閉部材とを相対的に揺動開閉自在に接続するヒンジ機構に関する。
【０００２】
【従来の技術】
上記のようなヒンジ機構は遊技機に多用されており、その一例として、パチンコ機における外枠と前枠との間に配設されるヒンジ機構があげられる。パチンコ機のヒンジ機構は、外郭方形状の開口を有する外枠とこの開口面域に合わせた開閉搭載用の前枠との互いの正面左側上下に配設された上下一対のヒンジ機構からなる。
【０００３】
上下のヒンジ機構はそれぞれ、図２２に示すように、水平に配設された第１板状部５０１に軸支持孔５０２が形成された第１ヒンジ部材５００と、水平に配設された第２板状部５０６から上方に突出する支軸５０７が固設された第２ヒンジ部材５０５とから構成される。このような構成の上下一対のヒンジ機構において、軸支持孔５０２内に支軸５０７を嵌入させて第１および第２ヒンジ部材５００，５０５を水平に相対回動自在に接続させることにより、外枠に対して前枠を揺動開閉および着脱可能に支持するように構成している。
【０００４】
ところが、上記のような従来のヒンジ機構では、外枠に対して前枠を装着しようとするときに、上下両方のヒンジ機構の軸支持孔５０２と支軸５０７とをともに位置合わせして（軸心を一致させて）係合させなければならず、作業が容易でないという問題があった。特に、遊技施設内での装着にあっては、外枠が遊技島に固定されて移動不能であるとともに、前枠には遊技盤や裏セット盤、制御装置等が組み込まれて相当な重量（例えば、１５〜２０kg）を有しており、さらにヒンジ機構が重心位置と離れた側方に位置しているため、上下２カ所の位置決めを行う装着作業が極めて困難であるという問題があった。
【０００５】
このような問題に鑑みて、例えば、図２３に示すように、第１ヒンジ部材５００′の板状部５０１に外側面から軸支持孔５０２に繋がる導入開口５０３を形成し、第２ヒンジ部材５０５′の支軸５０７の左右を平面状にカットして平面部５０７ａ，５０７ａを形成し、支軸５０７の左右平面部５０７ａ，５０７ａの幅が導入開口５０３の幅より僅かに狭くなるように構成することが知られている。
【０００６】
この構成では、支軸５０７の左右平面部５０７ａ，５０７ａを導入開口５０３を通過させることにより支軸５０７を側方から軸支持孔５０２内に挿入させることができ、この状態で第１および第２ヒンジ部材５００′，５０５′を水平に相対回動させれば、左右平面部５０７ａ，５０７ａが軸支持孔５０２内に回動自在に保持される。このように構成すれば、軸支持孔５０２と支軸５０７とを上下に位置合わせすることなく支軸５０７を横方向に移動させて軸支持孔５０２内に嵌入させることができるため、外枠に前枠を取り付ける作業が簡単となる。
【０００７】
【特許文献１】
特開２００１−２５９１９５号公報
【０００８】
【発明が解決しようとする課題】
しかしながら、この構成の場合は、軸支持孔５０２の導入開口５０３と支軸５０７の左右平面部５０７ａ，５０７ａとが対向する位置まで前枠を揺動させると支軸５０７が軸支持孔５０２から外れ出て、前枠が外れるという問題がある。
【０００９】
本発明は、このような問題に鑑みて成されたものであり、外枠等のベース部材に対して前枠等の開閉部材を容易に装着させることができるとともに、一旦装着した後は、その揺動位置に拘わらず開閉部材をベース部材から外れることなくしっかりと保持することができるような構成の遊技機のヒンジ機構を提供することを目的とする。
【００１０】
【課題を解決するための手段】
このような目的達成のため、本発明では、固定保持用の外枠および当該外枠に開閉自在に取り付けられる前枠を備えた遊技機の側部上下に配設されて、前枠を外枠に対して揺動開閉自在にヒンジ接続させる上下一対のヒンジ機構において、上下一対のヒンジ機構における上側のヒンジ機構は、前枠の側部上側に固設された上部揺動金具と、外枠の側部上側に固設され、外枠に固定される固定側基部および、固定側基部に繋がって水平に突出する固定側板状部を有し、固定側板状部の上面を支持面として上部揺動金具を揺動自在に支持する上部固定金具とを備え、固定側基部に、外枠に対し前枠を閉鎖した状態で上部揺動金具の上方に位置するとともに上部揺動金具の上方への移動を規制する庇部が設けられる。
【００１１】
さらに、上下一対のヒンジ機構における下側のヒンジ機構は、外枠の側部下側に固設され、上方に突出した軸部を有する下部固定金具と、前枠の側部下側に固設され、水平に突出する板状部を有して、板状部に軸部と係合する軸孔および軸孔に繋がって延びるガイド孔とからなるＵ字状の軸収容孔が形成された下部揺動金具と、板状部の下面側に設けられ、軸部が軸孔に位置するときに軸部と係合可能な弾性を有する軸係合部材とを備え、軸係合部材に、軸部と係合可能な軸係合部と軸係合部に繋がって延びるガイド部とが形成されており、下部固定金具は、軸部が軸孔に位置した状態で、軸係合部材を介して下部揺動金具を揺動自在に支持し、軸部が板状部のガイド孔内に導入されるとガイド部に当接し、軸部がガイド孔に沿って軸孔へ移動するときに軸係合部材が軸部に押し広げられるように弾性変形し、軸部が軸孔に位置すると軸係合部材が復元し軸係合部が軸部と係合して、軸部のガイド孔への移動が規制されるように構成されている。
【００１２】
このような構成の遊技機のヒンジ機構によれば、軸部がガイド孔に沿って軸孔へ移動するときに軸係合部材が軸部に押し広げられるように弾性変形し、軸部が軸孔に位置すると軸係合部材が復元し軸係合部が軸部と係合して、軸部のガイド孔への移動が規制されるため、外枠に対して前枠を容易に装着させることができるとともに、一旦装着した後は、その揺動位置に拘わらず前枠を外枠から外れることなくしっかりと保持することができる。
【００１３】
【発明の実施の形態】
以下、本発明の好ましい実施形態について図面を参照しながら説明する。本発明に係るヒンジ機構を備えた遊技機の代表例としてパチンコ機ＰＭを図１に示しており、まず、この図面を参照しながらパチンコ機ＰＭの全体構成について要約説明する。ここで、図１はパチンコ機ＰＭの正面図である。
【００１４】
パチンコ機ＰＭは、外郭方形枠サイズに構成されて縦向きの固定保持枠を成す外枠１の開口前面に、これに合わせた方形枠サイズに構成される開閉搭載用の前枠２が互いの正面左側上下に配設された上部ヒンジ機構１００および下部ヒンジ機構１０を利用して横開き開閉および着脱が可能に取り付けられ、正面右側に設けられた施錠装置４を利用して外枠１と係合された閉鎖状態で遊技に供される。
【００１５】
前枠２の各部には、パチンコ遊技を展開する遊技展開部材として、前枠２の前側面域に合わせてガラス扉５及び上球皿６が左側部に設けられたヒンジ機構（図示せず）を利用してともに横開き開閉及び着脱が可能に組付けられる一方、上球皿６の下部に下球皿７、操作ハンドル８及び打球発射装置（図示せず）等が装備されている。
【００１６】
前枠２の裏側には、この前枠２と一体成形された収容枠（図示せず）に所定のゲージ設定で構成された遊技盤９が着脱可能にセット保持され、収容枠の裏側に球貯留部や賞球払出機構等を有する裏機構盤（図示せず）が開閉及び着脱可能に装備されている。裏機構盤の各部には主制御基板やターミナル基板、音声基板等の各種基板や電子部品などが取り付けられ、各機器が図示しないワイヤーハーネスで接続されている。
【００１７】
なお、パチンコ機ＰＭは、外枠１が遊技施設内の遊技島ＡＭに固定されて、全体が所要の後傾角度（例えば、１度以内の後傾角）で縦向きに保持される。そして、パチンコ機ＰＭは、前枠２、ガラス扉５および上球皿６がともに閉止され施錠された状態で遊技に供され、上球皿６に遊技球を貯留させて操作ハンドル８を回動操作することにより遊技が開始される。操作ハンドル８が回動操作されると、上球皿６に貯留された遊技球が打球発射装置により１球ずつ遊技盤９の遊技領域に打ち出され、以降パチンコゲームが展開される。
【００１８】
以上のように概要構成されるパチンコ機ＰＭにあって、前述したように、上部ヒンジ機構１００および下部ヒンジ機構１０により前枠２が外枠１に揺動（横開き）開閉および着脱可能に取り付けられている。以下、これらの各ヒンジ機構について図を追加参照しながら説明する。
【００１９】
まず、図２〜図１３を参照しつつ、本発明に係るヒンジ機構である下部ヒンジ機構１０について説明する。ここで、図２は下部ヒンジ機構１０を外枠側と前枠側とに分離した状態を示す斜視図、図３は下部ヒンジ機構１０の分解斜視図、図４は下部ヒンジ機構１０の分解平面図、図５は下部ヒンジ機構１０に構成される係合補助部材４０を下面側から見た状態を示す平面図、図６は図５中の矢印VI−VIに沿った左側断面図である。
【００２０】
また、図７は下部ヒンジ機構１０を外枠側と前枠側とに分離した状態を示す平面図、図８は下部ヒンジ機構１０に構成される下部固定金具２０と下部揺動金具３０との連結途中を示す平面図、図９は下部ヒンジ機構１０の正面図、図１０は下部ヒンジ機構１０の左側面図（部分断面図）、図１１は下部固定金具および係合補助部材の変形例を示す斜視図、図１２は下部固定金具の変形例を示す平面図、そして図１３は下部ヒンジ機構１０に構成される軸部２３付近を示す拡大正面図（部分断面図）である。
【００２１】
下部ヒンジ機構１０は、図２〜図４に示すように、外枠１の左側下部に固設された下部固定金具２０と、前枠２の左側下部に固設されて下部固定金具２０とヒンジ接続される下部揺動金具３０と、下部揺動金具３０の下面側に取り付けられた係合補助部材４０とを主体に構成される。
【００２２】
下部固定金具２０は、外枠１の左内側面に固定される固定側基部２１と、この固定側基部２１から直角に折り曲げられて前方へ水平に突出する固定側板状部２２とを主体に構成され、所定板厚の鋼板を打ち抜きおよび曲げ形成して図示する形状に形成される。固定側基部２１には複数の基部固定孔２１ａ，２１ａ（図４を参照）が孔開け形成されており、リベット１２，１２（図２を参照）やネジ等の締結手段をこれら複数の基部固定孔２１ａ，２１ａに通過させて外枠１へ締結固定させることで、固定側基部２１すなわち下部固定金具２０が外枠１の左側下部（左内側面）に固設される。
【００２３】
固定側板状部２２の右方には板状部固定孔２２ａが形成されており、板状部固定ネジ１３を板状部固定孔２２ａに通過させて外枠１へネジ固定させることで、固定側板状部２２が外枠１の下部（幕板）上面側に固定されるようになっている。固定側板状部２２の前端部近傍には、上方に突出する軸部２３がカシメ締結により固着されており、下部固定金具２０と下部揺動金具３０とがヒンジ接続された状態で、軸部２３を揺動軸として前枠２が外枠１に対して揺動するように構成される。なお、固定側板状部２２は、下部固定金具２０と下部揺動金具３０とをヒンジ接続させる際に、前枠２（下部揺動金具３０および係合補助部材４０）を下部固定金具２０上に仮置きしておくための仮置き部としても機能している。
【００２４】
下部揺動金具３０は、前枠２の裏面側に固定される揺動側基部３１と、この揺動側基部３１から直角に折り曲げられて前方へ水平に突出する揺動側板状部３２とを主体に構成され、所定板厚の鋼板を打ち抜きおよび曲げ形成して図示する形状に形成される。揺動側基部３１には複数の固定孔３１ａ，…が孔開け形成されており、リベットやネジ等の締結手段をこれら複数の固定孔３１ａ，…に通過させて前枠２へ締結固定させることで、揺動側基部３１すなわち下部揺動金具３０が前枠２の左側下部（裏面側）に固設される。
【００２５】
揺動側板状部３２の前端部には、下部固定金具２０の軸部２３より僅かに大きい径（幅）を有する軸収容孔３３がＵ字状に形成されている。軸収容孔３３は、軸部２３と係合可能な軸孔３３ａと、軸孔３３ａから揺動側板状部３２の前端部まで繋がって形成されたガイド孔３３ｂとからなり、軸部２３を揺動側板状部３２の前方からガイド孔３３ｂに通過させると、軸部２３が軸孔３３ａに達して係合するようになっている。これにより、下部固定金具２０の軸部２３が下部揺動金具３０の軸孔３３ａに位置して係合することで、下部固定金具２０と下部揺動金具３０とがヒンジ接続され、軸部２３を揺動軸として前枠２が外枠１に対して揺動可能になる。
【００２６】
揺動側板状部３２における軸収容孔３３の後方には、係合補助部材４０を取り付けるための第１部材取付孔３５がネジ溝を有して形成されおり、図６および図８に示すように、第１部材取付ネジ１５がネジ固定されるようになっている。さらに、軸収容孔３３の左右には、係合補助部材４０を取り付けるための第２部材取付孔３６および第３部材取付孔３７がネジ溝を有して形成されおり、図６および図８に示すように、第２部材取付ネジ１６および第３部材取付ネジ１７がそれぞれネジ固定されるようになっている。
【００２７】
なお、図９および図１０に示すように、下部揺動金具３０が固設される前枠２の左下端部には逃げ部３９が形成されており、下部固定金具２０と下部揺動金具３０とをヒンジ接続させたときに下部固定金具２０の軸部２３が前枠２と干渉しないようになっている。
【００２８】
係合補助部材４０は、ポリプロピレン（ＰＰ）やポリアセタール（ＰＯＭ）、ポリエチレン−テレフタラート（ＰＥＴ）等の樹脂材料を用いて射出成形等の成形手段により板状に一体的に成形される。係合補助部材４０の中央前部には、下部固定金具２０の軸部２３と係合可能な軸係合部４１が形成されている。軸係合部４１は軸部２３の形状に合わせた円弧状に形成され、図４に示すように、平面視において軸係合部４１の前部内側面が軸収容孔３３（ガイド孔３３ｂ）の内方に位置するようになっている。そして、図９、図１０および図１３に示すように、軸部２３が下部揺動金具３０の軸孔３３ａに位置するときに軸部２３と係合し、軸部２３の下部揺動金具３０におけるガイド孔３３ｂへの相対移動、すなわち下部揺動金具３０の下部固定金具２０とのヒンジ接続を解除する方向への移動を規制するようになっている。
【００２９】
係合補助部材４０の前端部には、軸係合部４１と繋がるガイド部４２が形成されている。ガイド部４２は、軸係合部４１から前方に向かうにつれて左右に広がるとともに係合補助部材４０の前端部まで延びて形成され、図４に示すように、平面視においてガイド部４２の内側面が軸収容孔３３（ガイド孔３３ｂ）の内方に位置するようになっている。そして、下部固定金具２０の軸部２３が揺動側板状部３２のガイド孔３３ｂ内に導入されるとガイド部４２に当接し、図８に示すように、軸部２３がガイド孔３３ｂに沿って後方へ相対移動するときに、ガイド部４２が軸部２３に押圧されて係合補助部材４０が左右に押し広げられるように弾性変形する。また、ガイド部４２の前端部には導入部４３が形成されており、下部固定金具２０の軸部２３をガイド部４２（および軸収容孔３３）に導入し易いようになっている。
【００３０】
係合補助部材４０の中央後部には、軸係合部４１に繋がって後方へ延びるスリット部４４およびスリット部４４の後端部に繋がる円形孔部４５が形成されており、係合補助部材４０が弾性変形し易いようになっている。また、円形孔部４５は、第１部材取付ネジ１５（皿ネジ）の頭部を収容可能な円孔状に形成されており、図５および図６に示すように、第１部材取付ネジ１５を円形孔部４５に通過させて揺動側板状部３２の第１部材取付孔３５にネジ固定することで、係合補助部材４０の中央後部が揺動側板状部３２（下部揺動金具３０）の下面側に取付固定される。さらに、スリット部４４の後端部に繋がって円形孔部４５が形成されているため、係合補助部材４０が弾性変形する際に破損するのが防止される。
【００３１】
係合補助部材４０における軸係合部４１の左右には、係合補助部材４０を揺動側板状部３２の下面側に取り付けるための左固定孔４６および右固定孔４７が形成されている。左固定孔４６は、第２部材取付ネジ１６（皿ネジ）の頭部を収容可能な長孔状に形成されており、図５および図６に示すように、第２部材取付ネジ１６を左固定孔４６に通過させて揺動側板状部３２の第２部材取付孔３６にネジ固定することで、係合補助部材４０の左前部が揺動側板状部３２（下部揺動金具３０）の下面側に取付固定される。
【００３２】
右固定孔４７は、左固定孔４６と同様に、第３部材取付ネジ１７（皿ネジ）の頭部を収容可能な長孔状に形成されており、図５および図６に示すように、第３部材取付ネジ１７を右固定孔４７に通過させて揺動側板状部３２の第３部材取付孔３７にネジ固定することで、係合補助部材４０の右前部が揺動側板状部３２（下部揺動金具３０）の下面側に取付固定される。これにより、左固定孔４６および右固定孔４７が長孔状に形成されているため、係合補助部材４０が揺動側板状部３２の下面側に取り付けられた状態で、係合補助部材４０の左右前部がそれぞれ円形孔部４５の中心付近を揺動軸として揺動（弾性変形）可能となる。
【００３３】
なお、本実施形態において、下部固定金具を外枠１に構成される左枠板１ａ、底板１ｂおよび幕板１ｃ（図１１を参照）をそれぞれ連結する連結部品として機能させるようにしてもよい。具体的には、図１１および図１２に示すように、下部揺動金具３０とヒンジ接続可能な下部固定金具７０が、左枠板１ａの下端部内側面に固定される第１固定側基部７１ａと、第１固定側基部７１ａから直角に折り曲げられて底板１ｂの左端部上面に固定される第２固定側基部７１ｂと、第２固定側基部７１ｂから直角に折り曲げられて幕板１ｃの左端部裏面に固定される第３固定側基部７１ｃと、第３固定側基部７１ｃから直角に折り曲げられて前方へ水平に突出する固定側板状部７２とを主体に構成され、所定板厚の鋼板を打ち抜きおよび曲げ形成して図示する形状に形成される。
【００３４】
第１固定側基部７１ａはリベット７４，７４等の締結手段を用いて左枠板１ａの下端部内側面に固定され、また、第２固定側基部７１ｂはリベット７５，７５や皿ネジ７６等の締結手段を用いて底板１ｂの左端部上面に固定され、さらに、第３固定側基部７１ｃは皿ネジ７７等の締結手段を用いて幕板１ｃの左端部裏面に固定される。これにより、外枠１に構成される左枠板１ａ、底板１ｂおよび幕板１ｃが下部固定金具７０を用いてそれぞれ連結される。
【００３５】
固定側板状部７２の後部は皿ネジ７８，７８を用いて幕板１ｃの左端部上面に固定されており、固定側板状部７２の前端部近傍には上方に突出する軸部７３がカシメ締結により固着されている。そして、前述の実施形態における下部固定金具２０と同様に、下部固定金具７０と下部揺動金具３０とがヒンジ接続された状態で、軸部７３を揺動軸として前枠２が外枠１に対して揺動するように構成される。また同様に、固定側板状部７２は、下部固定金具７０と下部揺動金具３０とをヒンジ接続させる際に、前枠２（下部揺動金具３０および係合補助部材４０）を下部固定金具７０上に仮置きしておくための仮置き部としても機能している。
【００３６】
このようにすれば、下部揺動金具３０とヒンジ接続される下部固定金具７０が、外枠１に構成される左枠板１ａ、底板１ｂおよび幕板１ｃをそれぞれ連結する連結部品としての機能を有するため、別途連結部品を設ける必要がないことから、パチンコ機ＰＭの部品点数を少なくすることができ、パチンコ機ＰＭの製造コストを低減させることができる。
【００３７】
また、本実施形態において、図１１に示すように、係合補助部材９０の大きさを下部揺動金具３０における揺動側板状部３２の大きさに合わせるようにしてもよい。このようにすれば、係合補助部材９０の下面側の面積が大きくなるため、前枠２（下部揺動金具３０および係合補助部材９０）を下部固定金具２の固定側板状部２２上へより容易に仮置きすることができる。
【００３８】
続いて、上部ヒンジ機構１００について図１４〜図１８を参照して説明する。ここで、図１４は上部ヒンジ機構１００に構成される上部固定金具１１０と上部揺動金具１３０とをヒンジ接続させる以前の状態を示す斜視図、図１５は上部固定金具１１０を分解してその構成を詳細に示す斜視図、図１６は図１４中のXVI矢視で示す平面図、図１７は上部固定金具１１０と上部揺動金具１３０とがヒンジ接続された状態の平面図、そして図１８は上部固定金具１１０と上部揺動金具１３０との接続過程を（ａ）、（ｂ）、（ｃ）の順に時系列で表す説明図である。上部ヒンジ機構１００は、外枠１の左側上部に固設された上部固定金具１１０と、前枠２の左側上部に固設されて上部固定金具１１０とヒンジ接続される上部揺動金具１３０とを主体に構成される。
【００３９】
上部固定金具１１０は、外枠１の左上方角部に固定される固定側基部１１１と、この固定側基部１１１から前方に向けて水平に突出する固定側板状部１１７と、固定側板状部１１７に取り付けられた弾性部材１２０とを有して構成される。固定側板状部１１７は、固定側基部１１１に繋がって前方に延びる導入部１１４および突出部１１２からなり、その基部側から前方に延びてガイド孔１１３および軸支持孔１１５が穿設されている。導入部１１４は、固定側基部１１１と突出部１１２との間において側面視凹状の段差を形成しガイド孔１１３における右側縁が導入部１１４に繋がっている。なお、ガイド孔１１３と軸支持孔１１５は一体に繋がり、ガイド孔１１３の前端半円状部が軸支持孔１１５を形成する。
【００４０】
固定側基部１１１は、外枠１の左上部に形成された上部取付面に固着される上辺部１１１ａと、上辺部１１１ａと直交し外枠１の左外側面に形成された側部取付面に固着される側辺部１１１ｂと、上辺部１１１ａおよび側辺部１１１ｂと直交し外枠１の前端面に当接する前辺部１１１ｃとからなる。上部固定金具１１０は、所定板厚の鋼板を打ち抜きおよびプレス成形して図示する形状に形成したのち、上記直交する三辺１１１ａ，１１１ｂ，１１１ｃで外枠１の左上方角部に位置決めされ、ネジ等の固定手段を利用して外枠１に固定される。
【００４１】
固定側基部１１１の前辺部１１１ｃに繋がって前方に向けて突出する導入部１１４および突出部１１２に形成されるガイド孔１１３は、図１５に示すように、基部側でその溝幅が広く、中間部から先端側に向けてテーパ状に狭くなるように形成されており、溝先端部には、後述するように上部揺動金具１３０の支軸１３５を嵌合支持する半円状の軸支孔１１５が形成されている。また、固定側基部１１１と突出部１１２との間に形成される側面視凹状の段差は、ガイド孔１１３を挟む左右で前後の幅が相違して形成されて右側（導入部１１４が形成される側）の方が広くなっている。なお、ガイド孔１１３の右側縁に位置する側面視凹状の段差が支軸１３５を受容する導入部１１４を形成している。
【００４２】
導入部１１４の側縁部には面取り部１１４ｓが形成されており、揺動金具１３０側の支軸１３５をこの導入部１１４上に容易に受容させることができるように構成されている。また、導入部１１４の奥部（ガイド孔１１３の後部）には弾性部材１２０を固定するためのピン孔１１４ｃが穿設されるとともに、このピン孔１１４ｃと隣接して弾性部材１２０の位置決めおよび回転支持用の位置決め突起１１４ｂがエンボス成形されている。
【００４３】
弾性部材１２０は、ガイド孔１１３の後部に固定される固定片部１２１、側面視逆Ｕ字状に折り曲げられた屈曲部１２２、屈曲部１２２から前方に水平に延びる平坦部１２３、平坦部から上方に折り曲げられて前後方向に傾斜した斜面を形成する斜辺部１２４、斜辺部１２４から水平に折り返されて先端で支軸１３５の側面と係合可能な支軸部１２５などから構成される。
【００４４】
固定片部１２１には、位置決め突起１１４ｂと係合して弾性部材１２０の取付角度位置を規定するとともに、弾性部材１２０に水平方向に作用する力で弾性部材１２０が回転しないようにモーメントを受ける切り欠き部１２１ｂが形成されている。弾性部材１２０は、例えば、所定板厚のバネ用ステンレス鋼鋼板やバネ鋼板等をプレス成形により図示する形状に構成し、切り欠き部１２１ｂを位置決め突起１１４ｂに係合させて取付位置及び取付角度を規定したうえ、固定ピン１２７をピン孔１１４ｃに圧入固定することで上部固定金具１１０に片持ち状態で固定される。なお、屈曲部１２２には、この弾性部材のバネ状数を適宜な値に調整するため、必要に応じて適宜な幅寸法のスリット状の溝部１２２ａが形成される。
【００４５】
弾性部材１２０は、図１８（ａ）に示すように、屈曲部１２２から先端側がガイド孔１１３を覆ってその内部に配設される。このとき、平坦部１２３の上面は導入部１１４の上面より下方に位置するとともに、斜辺部１２４は導入部１１４と突出部１１２とを繋ぐ立設部の陰に位置し、前端の支軸部１２５は突出部１１２の上下面の間に位置して配設される。すなわち、弾性部材１２０の自由端側は右側方（支軸１３５の導入方向）から直視できない位置に保護されるように配設されており、支軸１３５の導入時にこれが弾性部材１２０の側面に衝突等してこの部材を変形、破損させるおそれがないように構成されている。
【００４６】
一方、上部固定金具１１０にヒンジ接続される上部揺動金具１３０は、前枠２の裏面側に固定される揺動側基部１３１、この揺動側基部１３１から直角に折り曲げられて前方に水平に突出する揺動側板状部１３２、および揺動側板状部１３２の前端部に固着されて下方に突出する支軸１３５からなり、所定板厚の鋼板を打ち抜きおよび曲げ成形して図示する形状に形成した後、前枠２の左上部裏面にネジ等の締結手段を利用して固定される。
【００４７】
なお、下部固定金具２０における固定側板状部２２の上面と上部固定金具１１０における突出部１１２の上面の間隔（上下の支持面の間隔）、および下部揺動金具３０の下面側に取り付けられた係合補助部材４０の下面と上部揺動金具１３０における揺動側板状部１３２の下面との間隔（上下の被支持面の間隔）は、略同一となるように設定されており、上下の固定金具１１０，２０がそれぞれ揺動金具１３０，３０を揺動自在に支持して、前枠２全体を開閉自在に支持するように構成されている。
【００４８】
一方、上部揺動金具１３０における支軸１３５の突出高さは、突出部１１２の上面と導入部１１４の上面との段差よりも幾分大きめに設定されている。換言すれば、下部固定金具２０上に下部揺動金具３０を支持させたときに、支軸１３５の下端面が導入部１１４の上面よりも低くなるように設定されている。これにより、支軸１３５を導入部１１４からガイド孔１１３内に位置させたときに支軸１３５をガイド孔１１３内に保持し、これが導入部１１４側に外れ出ることがない。
【００４９】
また、上部揺動金具１３０の支軸１３５の長さより下部固定金具２０の軸部２３の長さが長く設定されている。これにより、支軸１３５を導入部１１４からガイド孔１１３内に位置させるときに下部揺動金具３０が下部固定金具２０の軸部２３から抜けにくくなるため、上部固定金具１１０と上部揺動金具１３０とを容易にヒンジ接続させることができる。
【００５０】
なお、本実施形態において、図１５中の二点鎖線で示すように、支軸１３５をガイド孔１１３に案内するガイド部材１２８を導入部１１４に設けてもよい。このようにすれば、支軸１３５をガイド孔１１３に係合させるときに支軸１３５がガイド部材１２８に案内されてガイド孔１１３内に誘導されるため、前枠２の連結操作をより容易かつ軽快に行うことができる。また、ガイド部材１２８の左側端部を延長して屈曲部１２２の右側縁を保護するように構成し、あるいは、屈曲部１２２と固定片１２１部を覆うように構成することにより、支軸１３５が弾性部材１２０に当接することを防止してより耐久性の高い蝶番装置とすることができる。
【００５１】
また、本実施形態において、図１７中の二点鎖線で示すように、固定側基部１１１おける上辺部１１１ａを前方に突出成形して庇部１１８を形成し、前枠２を閉鎖した状態で庇部１１８が上部揺動金具１３０の上方に突出して位置するようにしてもよい。このようにすれば、閉鎖状態では前枠２が持ち上げられたときに庇部１１８が上部揺動金具１３０の上動を規制して上下の蝶番装置のヒンジ結合を維持させることができる。これにより、前枠２が閉鎖された状態でヒンジ結合を解除させようとする不正行為を有効に防止し、公正な遊技に供することができる。
【００５２】
以上のように構成される上部ヒンジ機構１００および下部ヒンジ機構１０のヒンジ接続について説明する。外枠１と前枠２とが分離した状態から、上部ヒンジ機構１００および下部ヒンジ機構１０により前枠２を外枠１に揺動（横開き）開閉および着脱可能に取り付けるには、まず、下部ヒンジ機構１０において、下部ヒンジ機構１０に構成される下部固定金具２０と下部揺動金具３０とをヒンジ接続させる。
【００５３】
下部固定金具２０と下部揺動金具３０とをヒンジ接続させるには、まず、下部揺動金具３０を下部固定金具２０における軸部２３の右方に位置させて、下部揺動金具３０における軸収容孔３３の向きを軸部２３へ向ける（前枠２を外枠１に対して略直角に向ける）。そして、下部揺動金具３０を軸部２３に向けて左方へ移動させ、下部揺動金具３０のガイド孔３３ｂに軸部２３を通過させてガイド孔３３ｂに繋がる軸孔３３ａと軸部２３とを係合させる。
【００５４】
このとき、軸部２３はガイド孔３３ｂ内に導入されると係合補助部材４０のガイド部４２に当接し、図８に示すように、軸部２３がガイド孔３３ｂに沿って後方へ相対移動するときに、ガイド部４２が軸部２３に押圧されて係合補助部材４０が左右に押し広げられるように弾性変形する。そして、図９、図１０および図１３に示すように、軸部２３が軸孔３３ａに位置すると、係合補助部材４０が復元して係合補助部材４０の軸係合部４１が軸部２３と係合し、軸部２３の下部揺動金具３０におけるガイド孔３３ｂへの相対移動、すなわち下部揺動金具３０の下部固定金具２０とのヒンジ接続を解除する方向への移動が規制される。
【００５５】
このようにして、下部固定金具２０の軸部２３が上部揺動金具３０の軸孔３３ａおよび係合補助部材４０の軸係合部４１と係合して軸部２３の側部が保持された状態で、下部固定金具２０と下部揺動金具３０とが容易にヒンジ接続され、軸部２３を揺動軸として前枠２が外枠１に対して揺動可能になる。そのため、外枠１に対して前枠２を容易に装着させることができるとともに、一旦装着した後は、その揺動位置に拘わらず前枠２を外枠１から外れることなくしっかりと保持することができる。なお、前枠２は下部ヒンジ機構１０の下部固定金具２０で支持された状態となる。また、下部ヒンジ機構１０における前枠２の外枠１に対する揺動軸は、上部ヒンジ機構１００における前枠２の外枠１に対する揺動軸と共通になっている。
【００５６】
次に、上部ヒンジ機構１００において、上部ヒンジ機構１００に構成される上部固定金具１１０と上部揺動金具１３０とをヒンジ接続させる。上部固定金具１１０と上部揺動金具１３０とをヒンジ接続させるには、まず、下部ヒンジ機構１０で支持されている前枠２を傾動させて上部揺動金具１３０を上部固定金具１１０の右側方から接近させ、支軸１３５を導入部１１４の方向に移動させる。
【００５７】
このとき、支軸１３５の下端面の高さは、下部固定金具２０上に下部揺動金具３０を支持させた状態で導入部１１４の上面よりも幾分低くなるように設定されており、支軸１３５は導入部１１４の側縁部に形成された面取り部１１４ｓに案内されて導入部１１４に乗り上げるように進入する。これにより下部ヒンジ機構１０で片支持されていた前枠２の上端側が上部固定金具１１０により支承され、前枠２のふらつき（自由傾動）が抑制される。
【００５８】
次に、前枠２を直立方向に傾動させて支軸１３５を導入部１１４に通過させてガイド孔１１３内へ進入させ、支軸１３５をガイド孔１１３内に位置させる。このとき、ガイド孔１１３の左側縁は導入部１１４の上面よりも高く形成されているため、前枠２が直立位置を超えて左方向に傾動しようとした場合（例えば前枠２が勢いよく左方に傾動された場合）であっても、支軸１３５の外周面がガイド孔１１３の左側縁に当接して移動が規制され、支軸１３５がガイド孔１１３内に保持される。このように支軸１３５がガイド孔１１３内に入ると、面取り部１１４ｓに案内されて導入部１１４に乗り上げた支軸１３５がガイド孔１１３内で下動し、ガイド孔１１３内に係止保持され、導入部１１４を通って戻ることができない状態となる（図１８（ａ）参照）。
【００５９】
続いて、支軸１３５がガイド孔１１３に沿って突出部１１２の前端方向に移動するように前枠２を傾動させる。このとき、ガイド孔１１３は平面視における幅が基部側で広く、中間部から先端側に向けて狭くなるテーパ状に形成されているため、支軸１３５はガイド孔１１３の左右側縁に案内されるように軸支持孔１１５に向けて移動する。また、この移動過程において、支軸１３５の下端部が弾性部材１２０の斜辺部１２４に当接して押圧し、弾性部材１２０を下方に弾性変形させつつ前方に移動する（図１８（ｂ）参照）。
【００６０】
そして、支軸１３５が軸支持孔１１５内に位置するまで前進移動したときに、支軸１３５の下端部と弾性部材１２０の上面との当接が解除され、弾性部材１２０は弾性力により係合前の形状に復帰する。これにより支軸１３５はガイド孔１１３の前端部に形成された軸支持孔１１５と弾性部材１２０の先端部に形成された支軸部１２５との間に挟持され、支軸１３５が回転自在に保持される（図１７および図１８（ｃ）参照）。
【００６１】
この結果、上部揺動金具１３０の支軸１３５が上部固定金具１１０の軸支持孔１１５内に位置して弾性部材１２０の支軸部１２５と係合し、軸支持孔１１５および支軸部１２５に支軸１３５の側部が保持された状態で、上部固定金具１１０と上部揺動金具１３０とがヒンジ接続され、支軸１３５を揺動軸として前枠２が外枠１に対して揺動可能になる。なお、前述したように、上部ヒンジ機構１００における前枠２の外枠１に対する揺動軸は、下部ヒンジ機構１０における前枠２の外枠１に対する揺動軸と共通になっている。
【００６２】
このようにして連結された上部ヒンジ機構１００および下部ヒンジ機構１０により、前枠２の重量が略均等に支持された状態で、前枠２が外枠１に揺動（横開き）開閉可能に装着される。なお、上述から分かるように、上部ヒンジ機構１００において上部揺動金具１３０を上部固定金具１１０にヒンジ接続させる方向が前後方向であり、下部ヒンジ機構１０において下部揺動金具３０を下部固定金具２０にヒンジ接続させる方向が左右方向であって、上部ヒンジ機構１００および下部ヒンジ機構１０の接続方向がそれぞれ異なるため、前枠２が無理に一方向へ引っ張られて上部ヒンジ機構１００および下部ヒンジ機構１０のヒンジ接続が解除され、前枠２が外枠１から不用意に取り外されることを防止することができる。
【００６３】
なお、前枠２を外枠１から取り外すには、まず、上部ヒンジ機構１００において上部固定金具１１０と上部揺動金具１３０とを分離し、次に、下部ヒンジ機構１０において下部固定金具２０と下部揺動金具３０とを分離すればよい。上部固定金具１１０と上部揺動金具１３０とを分離するには、前枠２を外枠１に対して所定角度開放させた状態で、前枠２をそのまま上方に引き上げて揺動させるようにすればよい。また、下部固定金具２０と下部揺動金具３０とを分離するには、上部固定金具１１０および上部揺動金具１３０の場合と同様に前枠２を上方に引き上げるようにすればよい。
【００６４】
以上に説明した本実施形態によるパチンコ機ＰＭによれば、下部ヒンジ機構１０において、下部固定金具２０の軸部２３が下部揺動金具３０のガイド孔３３ｂに沿って軸孔３３ａへ相対移動するときに軸係合部材４０が軸部２３に押し広げられるように弾性変形し、軸部２３が軸孔３３ａに位置すると軸係合部材４０が復元し軸係合部４１が軸部２３と係合して、軸部２３のガイド孔３３ｂへの相対移動、すなわち下部揺動金具３０の下部固定金具２０とのヒンジ接続を解除する方向への移動が規制されるため、外枠１に対して前枠２を容易に装着させることができるとともに、一旦装着した後は、その揺動位置に拘わらず前枠２を外枠１から外れることなくしっかりと保持することができる。
【００６５】
また、上部ヒンジ機構１００において、上部揺動金具１３０の支軸１３５を上部固定金具１１０の導入部１１４からガイド孔１１３内に側方から進入させ、次に支軸１３５を前方に移動させるという簡単な操作で、支軸１３５が上部固定金具１１０の軸支持孔１１５内に位置して回転自在に且つ外れることなく保持されるため、外枠１に対して前枠２を容易に装着させることができるとともに、一旦装着した後は、その揺動位置に拘わらず前枠２を外枠１から外れることなくしっかりと保持することができる。
【００６６】
さらに、上部ヒンジ機構１００および下部ヒンジ機構１０の接続方向がそれぞれ異なるため、前枠２が無理に一方向へ引っ張られて上部ヒンジ機構１００および下部ヒンジ機構１０のヒンジ接続が解除され、前枠２が外枠１から不用意に取り外されることを防止することができる。
【００６７】
次に、上部ヒンジ機構の第二実施形態について図１９〜図２１を参照して説明する。ここで、図１９は第二実施形態における上部ヒンジ機構２００の分解斜視図、図２０は上部ヒンジ機構２００に構成される上部揺動金具２１０と上部固定金具２２０との連結途中を示す平面図（部分断面図）、そして図２１は上部揺動金具２１０と上部固定金具２２０との連結過程を（ａ）、（ｂ）の順に時系列で表す説明図（側断面図）である。なお、本実施形態の上部ヒンジ機構２００は、上述した第一実施形態における上部ヒンジ機構１００の装置構成のみ異なり、他の装置構成は同様であるため同一部位に同一番号を付して重複説明を省略する。
【００６８】
第二実施形態における上部ヒンジ機構２００は、前枠２の左側上部に固設された上部揺動金具２１０と、外枠１の左側上部に固設されて上部揺動金具２１０とヒンジ接続される上部固定金具２２０と、上部固定金具２２０の下面側に取り付けられたガイド部材２４０と、上部固定金具２２０の上面側に取り付けられた飾り部材２５０と、飾り部材２５０に取り付けられた軸係合部材２６０とを主体に構成される。
【００６９】
上部揺動金具２１０は、前枠２の裏面側に固定される揺動側基部２１１と、この揺動側基部２１１から直角に折り曲げられて前方に水平に突出する揺動側板状部２１２とを主体に構成され、所定板厚の鋼板を打ち抜きおよび曲げ形成して図示する形状に形成される。揺動側基部２１１には複数の固定孔２１１ａ，…が孔開け形成されており、リベットやネジ等の締結手段をこれら複数の固定孔２１１ａ，…に通過させて前枠２へ締結固定させることで、揺動側基部２１１すなわち上部揺動金具２１０が前枠２の左側上部裏面側に固設される。
【００７０】
揺動側板状部２１２の前端部近傍には、上方に突出する軸部２１３がカシメ締結により固着されており、上部揺動金具２１０と上部固定金具２２０とがヒンジ接続された状態で、軸部２１３を揺動軸として前枠２が外枠１に対して揺動するように構成される。軸部２１３の上端部には、半球形に凹んだ係合溝２１３ａが形成されており（図２０および図２１を参照）、軸係合部材２６０の軸係合部２６１と係合するように構成されている。
【００７１】
上部固定金具２２０は、外枠１の左上面および左側面に固定される固定側基部２２１と、この固定側基部２２１から前方へ水平に突出する第１固定側板状部２２５と、第１固定側板状部２２５の前端部から下方へ段差状に折り曲げられて前方へ水平に突出する第２固定側板状部２３１を主体に構成され、所定板厚の鋼板を打ち抜きおよび曲げ形成して図示する形状に形成される。固定側基部２２１には複数の固定孔２２２，…が孔開け形成されており、リベットやネジ等の締結手段をこれら複数の固定孔２２２，…に通過させて外枠１へ締結固定させることで、固定側基部２２１すなわち上部固定金具２２０が外枠１の左上面および左側面に固設される。
【００７２】
第１固定側板状部２２５の左右には、ガイド部材２４０を取り付けるためのガイド部材取付孔２２６，２２６が孔あけ形成されており、ガイド部材２４０を第１固定側板状部２２５に取り付けるための皿ネジ（図示せず）の頭部に合わせた形状となっている。
【００７３】
第２固定側板状部２３１の前端部近傍には、上部揺動金具２１０の軸部２１３より僅かに大きい径を有する軸孔２３２が孔開け形成されており、軸部２１３と係合するように構成されている。これにより、上部揺動金具２１０の軸部２１３が上部固定金具２２０の軸孔２３２に位置して係合することで、上部揺動金具２１０と上部固定金具２２０とがヒンジ接続され、軸部２１３を揺動軸として前枠２が外枠１に対して揺動可能になる。
【００７４】
第２固定側板状部２３１の後部には、軸孔２３２に繋がるガイド孔２３３が後方へ延びて形成されている。ガイド孔２３３は、軸孔２３２から後方に向かうにつれて幅が広がるとともに、第２固定側板状部２３１の後端部と第１固定側板状部２２５の前端部とに繋がる壁部２３５まで延びて形成され、上部揺動金具２１０の軸部２１３を第２固定側板状部２３１の後方（壁部２３５と外枠１との間隙部）からガイド孔２３３に通過させると、軸部２１３が軸孔２３２へ達するようになっている。
【００７５】
第２固定側板状部２３１の左右には、飾り部材２５０を取り付けるための飾り部材取付孔２３４，２３４が孔開け形成されおり、飾り部材２５０を第２固定側板状部２３１に取り付けるための皿ネジ（図示せず）の頭部に合わせた形状となっている。
【００７６】
なお、図２０および図２１に示すように、上部固定金具２２０が固設される外枠１の左上部下面側には切り欠き部２３９が形成されており、上部揺動金具２１０と上部固定金具２２０とを上部固定金具２２０の右側からヒンジ接続させるときに、上部揺動金具２１０が外枠１と干渉しないようになっている。
【００７７】
ガイド部材２４０は、ポリカーボネート（ＰＣ）やＡＢＳ樹脂等の樹脂材料を用いて射出成形等の成形手段により図示する形状に一体的に形成される。ガイド部材２４０の左右には、ガイド部材２４０を第１固定側板状部２２５に取り付けるためのガイド部材取付部２４１，２４１が取付孔２４１ａ，２４１ａを有して形成されており、皿ネジ（図示せず）を第１固定側板状部２２５の上方からガイド部材取付孔２２６に通過させて、ガイド部材取付部２４１にそれぞれネジ固定することで、ガイド部材２４０が第１固定側板状部２２５の下面側に取り付けられて、第２固定側板状部２３１と外枠１との間に位置するようになっている。
【００７８】
ガイド部材２４０の前側部には、左右一対の左ガイド部２４２および右ガイド部２４３がガイド部材２４０の前端から左右後方にそれぞれ延びて形成されており、左右のガイド部２４２，２４３に沿って上部揺動金具２１０の軸部２１３を前方に移動させたときに、軸部２１３が第２固定側板状部２３１のガイド孔２３３へ導かれるように構成されている。すなわち、図２０に示すように、左右のガイド部２４２，２４３は、左ガイド部２４２に沿って軸部２１３を前方に移動させても軸部２１３がガイド孔２３３へ導かれるとともに、右ガイド部２４３に沿って軸部２１３を前方に移動させても軸部２１３がガイド孔２３３へ導かれるようになっている。
【００７９】
これにより、図２０に示すように、上部揺動金具２１０の軸部２１３を上部固定金具２２０の左右どちら側からでも上部固定金具２２０の軸孔２３２と係合させることができるため、パチンコ機ＰＭの設置場所等を考慮した作業性に応じて、外枠１に対して前枠２を左右どちら側からでも容易に装着させることができる。
【００８０】
飾り部材２５０は、ポリカーボネート（ＰＣ）やポリアセタール（ＰＯＭ）等の硬質樹脂材料を用いて射出成形等の成形手段により箱状に一体的に形成され、図２１（ａ），（ｂ）に示すように、上部固定金具２２０における第２固定側板状部２３１の上方を覆うように構成される。これにより、上部揺動金具２１０の軸部２１３や、上部固定金具２２０の軸孔２３２およびガイド孔２３３が外部から見て飾り部材２５０に覆われた状態となり、パチンコ機ＰＭの美感が向上するとともに、軸部２１３等に対する不正行為の抑止が期待できる。
【００８１】
飾り部材２５０の左右には、飾り部材取付部２５１，２５１が取付孔２５１ａ，２５１ａを有して形成されており、皿ネジ（図示せず）を第２固定側板状部２３１の下方から第２固定側板状部２３１の飾り部材取付孔２３４に通過させて、飾り部材取付部２５１にそれぞれネジ固定することで、飾り部材２５０が第２固定側板状部２３１の上面側に取り付けられるようになっている。
【００８２】
飾り部材２５０の後側部には、逃げ孔部２５２が壁部２３５におけるガイド孔２３３の形状に合わせて形成されており、上部揺動金具２１０の軸部２１３が通過するように構成されている。飾り部材２５０の上部中央には、軸係合部材取付孔２５３がネジ溝（図示せず）を有して形成されており、軸係合部材２６０が取り付けられるようになっている。なお、軸係合部材取付孔２５３の深さは、軸係合部材２６０の軸係合部２６１が軸部２１３の係合溝２１３ａと係合した状態で、軸係合部材２６０の頭部が軸係合部材取付孔２５３の内部に位置する深さとなっている。
【００８３】
軸係合部材２６０は、金属製の丸棒からネジ形状に切り出し成形され、飾り部材２５０の軸係合部材取付孔２５３にネジ回転可能に取り付けられる（すなわち、軸係合部材２６０が飾り部材２５０とともに第２固定側板状部２３１に取り付けられる）。軸係合部材２６０の下端部には、枠上部揺動金具２１０の軸部２１３に形成された係合溝２１３ａと係合可能な軸係合部２６１が形成されている。
【００８４】
軸係合部２６１は、係合溝２１３ａの形状に合わせて半球形状に下方へ突出して形成され、軸部２１３が上部固定金具２２０の軸孔２３２に位置するときに軸係合部材２６０を下方へ移動するようにネジ回転させると、軸係合部２６１が下方へ移動して係合溝２１３ａと係合し、軸部２１３の後方への移動、すなわち、軸部２１３の上部固定金具２２０におけるガイド孔２３３への移動を規制して、軸部２１３の側方（前後左右）にかかる荷重を受け止めるように構成される。
【００８５】
これにより、上部揺動金具２１０の軸部２１３が上部固定金具２２０の軸孔２３２と係合した状態で、軸部２１３の係合溝２１３ａと係合した軸係合部２６１により軸部２１３のガイド孔２３３への移動が規制されるため、上部揺動金具２１０の軸部２１３を上部固定金具２２０の軸孔２３２と係合させて、一旦前枠２を外枠１に揺動開閉自在に装着した後は、その揺動位置に拘わらず前枠２を外枠１から外れることなくしっかりと保持することができる。
【００８６】
また、軸係合部２６１および係合溝２１３ａが半球形状に形成されているため、軸部２１３を中心軸とした前枠２の揺動を円滑に行うことができる。さらに、軸係合部２６１と係合する係合溝２１３ａが軸部２１３の上端部に形成されているため、軸部２１３が軸孔２３２と係合した状態で軸係合部２６１が係合溝２１３ａと係合すると、軸部２１３、すなわち前枠２の外枠１に対する上動が規制され、前枠２を無理に上動させて下部ヒンジ機構１０に構成される下部揺動金具３０と下部固定金具２０とを不正に分離し、前枠２が外枠１から不正に外されることを防止することができる。
【００８７】
軸係合部材２６０の上端部には、ドライバ等の工具と係合可能な十字溝２６２が形成されており、ドライバ等の工具を十字溝２６２に係合させて回転させることで、軸係合部材２６０を回転させることができるようになっている。これにより、ドライバ等の工具を用いなければ軸係合部材２６０を回転させることが困難であるため、軸係合部２６１と係合溝２１３ａとの係合状態が容易に解除されることを防止することができる。なお、十字溝２６２に限らず、六角穴等の各種工具と係合可能な溝（穴）であればよい。
【００８８】
このように構成される上部ヒンジ機構２００において、上部揺動金具２１０と上部固定金具２２０とをヒンジ接続させるには、まず、前枠２を傾動させて上部揺動金具２１０を上部固定金具２２０の左または右側方から接近させ、図２０および図２１（ａ）に示すように、上部揺動金具２１０の軸部２１３を上部固定金具２２０の壁部２３５と外枠１との間に位置させる。
【００８９】
続いて、軸部２１３を上部固定金具２２０の左側方から接近させた場合には、軸部２１３を壁部２３５と外枠１との間に位置するガイド部材２４０の左ガイド部２４２に沿って前方に移動させ、第２固定側板状部２３１におけるガイド孔２３３の後方に位置させる。一方、軸部２１３を枠上部固定金具２２０の右側方から接近させた場合には、軸部２１３をガイド部材２４０の右ガイド部２４３に沿って前方に移動させ、ガイド孔２３３の後方に位置させる。
【００９０】
さらに続いて、前枠２を直立方向に傾動させると、図２１（ｂ）に示すように、軸部２１３は固定側板状部２３１（壁部２３５）の後方から（前方へ）飾り部材２５０の逃げ孔部２５２およびガイド孔２３３を通過して軸孔２３２に位置し、軸部２１３は軸孔２３２と係合する。
【００９１】
そして、軸係合部材２６０を下方へ移動するようにネジ回転させると、軸係合部材２６０の軸係合部２６１が下方へ移動して係合溝２１３ａと係合し、軸係合部２６１により軸部２１３の後方への移動、すなわち、軸部２１３のガイド孔２３３への移動が規制されて、軸部２１３の側方（前後左右）にかかる荷重が受け止められる状態となる。
【００９２】
この結果、上部揺動金具２１０の軸部２１３が上部固定金具２２０の軸孔２３２および軸係合部材２６０の軸係合部２６１と係合して軸部２１３の側部が保持された状態で、上部揺動金具２１０と上部固定金具２２０とがヒンジ接続され、軸部２１３を揺動軸として前枠２が外枠１に対して揺動可能になる。なお、前述したように、上部ヒンジ機構２００における前枠２の外枠１に対する揺動軸は、下部ヒンジ機構１０における前枠２の外枠１に対する揺動軸と共通になっている。
【００９３】
なお、上部揺動金具２１０と上部固定金具２２０とを分離するには、軸係合部材２６０を上方へ移動するようにネジ回転させて軸係合部材２６０の軸係合部２６１と軸部２１３の係合溝２１３ａとの係合状態を解除し、前枠２を後方に傾動させるようにすればよい。
【００９４】
以上に説明した上部ヒンジ機構２００によれば、軸部２１３を第２固定側板状部２３１の後方からガイド孔２３３に通過させて軸孔２３２と係合させ、この状態で軸係合部材２６０の軸係合部２６１を軸部２１３の係合溝２１３ａと係合させて軸部２１３のガイド孔２３３への移動を規制することで、上部揺動金具２１０と上部固定金具２２０とのヒンジ接続が行われるため、外枠１に対して前枠２を容易に装着させることができるとともに、一旦装着した後は、その揺動位置に拘わらず前枠２を外枠１から外れることなくしっかりと保持することができる。
【００９５】
また、上述から分かるように、上部ヒンジ機構２００において上部揺動金具２１０を上部固定金具２２０にヒンジ接続させる方向が前後方向であり、下部ヒンジ機構１０において下部揺動金具３０を下部固定金具２０にヒンジ接続させる方向が左右方向であって、上部ヒンジ機構２００および下部ヒンジ機構１０の接続方向がそれぞれ異なるため、前枠２が無理に一方向へ引っ張られて上部ヒンジ機構１００および下部ヒンジ機構１０のヒンジ接続が解除され、前枠２が外枠１から不用意に取り外されることを防止することができる。
【００９６】
なお、上述の実施形態において、下部ヒンジ機構１０がパチンコ機ＰＭに設けられているが、これに限られるものではなく、例えば、スロットマシン等、ベース部材と、ベース部材に揺動開閉自在にヒンジ接続される開閉部材とを備えた遊技機に設けられていればよい。
【００９７】
また、上述の実施形態において、下部ヒンジ機構１０がパチンコ機ＰＭの左下部に設けられているが、下部ヒンジ機構１０と同様な構成のヒンジ機構が上部ヒンジ機構としてパチンコ機ＰＭの左上部に設けられるようにしてもよい。
【００９８】
さらに、上述の実施形態において、下部固定金具２０の固定側板状部２２に軸部２３が形成されるとともに、下部揺動金具３０の揺動側板状部３２に軸孔３３ａとガイド孔３３ｂからなる軸収容孔３３が形成されて、揺動側板状部３２に係合補助部材４０が設けられているが、これに限られるものではなく、下部揺動金具の揺動側板状部に軸部が形成されるとともに、下部固定金具の固定側板状部に軸孔とガイド孔からなる軸収容孔が形成されて、固定側板状部に係合補助部材が設けられるようにしてもよい。
【００９９】
【発明の効果】
以上説明したように、本発明による遊技機のヒンジ機構によれば、軸部がガイド孔に沿って軸孔へ移動するときに軸係合部材が軸部に押し広げられるように弾性変形し、軸部が軸孔に位置すると軸係合部材が復元し軸係合部が軸部と係合して、軸部のガイド孔への移動が規制されるため、ベース部材に対して開閉部材を容易に装着させることができるとともに、一旦装着した後は、その揺動位置に拘わらず開閉部材をベース部材から外れることなくしっかりと保持することができる。
【図面の簡単な説明】
【図１】本発明に係るヒンジ機構を備えた遊技機の一例として示すパチンコ機の正面図である。
【図２】本発明に係るヒンジ機構である下部ヒンジ機構を外枠側と前枠側とに分離した状態を示す斜視図である。
【図３】下部ヒンジ機構の分解斜視図である。
【図４】下部ヒンジ機構の分解平面図である。
【図５】下部ヒンジ機構に構成される係合補助部材を下面側から見た状態を示す平面図である。
【図６】図５中の矢印VI−VIに沿った左側断面図である。
【図７】下部ヒンジ機構を外枠側と前枠側とに分離した状態を示す平面図である。
【図８】下部ヒンジ機構に構成される下部固定金具と下部揺動金具との連結途中を示す平面図である。
【図９】下部ヒンジ機構の正面図である。
【図１０】下部ヒンジ機構の左側面図（部分断面図）である。
【図１１】下部固定金具および係合補助部材の変形例を示す斜視図である。
【図１２】下部固定金具の変形例を示す平面図である。
【図１３】下部ヒンジ機構に構成される軸部付近を示す拡大正面図（部分断面図）である。
【図１４】上部ヒンジ機構に構成される上部固定金具と上部揺動金具とをヒンジ接続させる以前の状態を示す斜視図である。
【図１５】上部固定金具を分解してその構成を詳細に示す斜視図である。
【図１６】図１４中のXVI矢視で示す平面図である。
【図１７】上部固定金具と上部揺動金具とがヒンジ接続された状態の平面図である。
【図１８】上部固定金具と上部揺動金具との接続過程を（ａ）、（ｂ）、（ｃ）の順に時系列で表す説明図である。
【図１９】第二実施形態における上部ヒンジ機構の分解斜視図である。
【図２０】第二実施形態における上部ヒンジ機構に構成される上部揺動金具と上部固定金具との連結途中を示す平面図（部分断面図）である。
【図２１】第二実施形態における上部揺動金具と上部固定金具との連結過程を（ａ）、（ｂ）の順に時系列で表す説明図（側断面図）である。
【図２２】従来のヒンジ機構の一例を示す斜視図である。
【図２３】従来のヒンジ機構における別の例を示す斜視図である。
【符号の説明】
ＡＭ  遊技島
ＰＭ  パチンコ機
１  外枠（１ａ 左枠板、１ｂ  底板、１ｃ  幕板）
２  前枠
４  施錠装置
５  ガラス扉
６  上球皿
７  下球皿
８  操作ハンドル
９  遊技盤
１０  下部ヒンジ機構
１２  リベット
１３  板状部固定ネジ
１５  第１部材取付ネジ
１６  第２部材取付ネジ
１７  第３部材取付ネジ
２０  下部固定金具
２１  固定側基部（２１ａ  基部固定孔）
２２  固定側板状部（２２ａ  板状部固定孔）
２３  軸部
３０  下部揺動金具
３１  揺動側基部（３１ａ  固定孔）
３２  揺動側板状部
３３  軸収容孔（３３ａ  軸孔、３３ｂ  ガイド孔）
３５  第１部材取付孔
３６  第２部材取付孔
３７  第３部材取付孔
３９  逃げ部
４０  係合補助部材
４１  軸係合部
４２  ガイド部
４３  導入部
４４  スリット部
４５  円形孔部
４６  左固定孔
４７  右固定孔
７０  下部固定金具（別形態）
７１ａ  第１固定側基部
７１ｂ  第２固定側基部
７１ｃ  第３固定側基部
７２  固定側板上部
７３  軸部
７４  リベット
７５  リベット
７６  皿ネジ
７７  皿ネジ
７８  皿ネジ
９０  係合補助部材（別形態）
１００  上部ヒンジ機構
１１０  上部固定金具
１１１  固定側基部（１１１ａ  上辺部、１１１ｂ  側辺部、１１１ｃ  前辺部）
１１２  突出部
１１３  ガイド孔
１１４  導入部
（１１４ｂ  位置決め突起、１１４ｃ  ピン孔、１１４ｓ  面取り部）１１５  軸支持孔
１１７  固定側板状部
１１８  庇部
１２０  弾性部材
１２１  固定片部（１２１ｂ  切り欠き部）
１２２  屈曲部（１２２ａ  溝部）
１２３  平坦部
１２４  斜辺部
１２５  支軸部
１２７  固定ピン
１２８  ガイド部材
１３０  上部揺動金具
１３１  揺動側基部
１３２  揺動側板状部
１３５  支軸
２００  上部ヒンジ機構（第二実施形態）
２１０  上部揺動金具
２１１  揺動側基部（２１１ａ  固定孔）
２１２  揺動側板状部
２１３  軸部（２１３ａ  係合溝）
２２０  上部固定金具
２２１  固定側基部
２２２  固定孔
２２５  第１固定側板状部
２２６  ガイド部材取付孔
２３１  第２固定側板状部
２３２  軸孔
２３３  ガイド孔
２３４  飾り部材取付孔
２３５  壁部
２３９  切り欠き部
２４０  ガイド部材
２４１  ガイド部材取付部（２４１ａ  取付孔）
２４２  左ガイド部
２４３  右ガイド部
２５０  飾り部材
２５１  飾り部材取付部（２５１ａ  取付孔）
２５２  逃げ孔部
２５３  軸係合部材取付孔
２６０  軸係合部材
２６１  軸係合部
２６２  十字溝
【図１】
0004210550.tif 000002
【図２】
0004210550.tif 000003
【図３】
0004210550.tif 000004
【図４】
0004210550.tif 000005
【図５】
0004210550.tif 000006
【図６】
0004210550.tif 000007
【図７】
0004210550.tif 000008
【図８】
0004210550.tif 000009
【図９】
0004210550.tif 000010
【図１０】
0004210550.tif 000011
【図１１】
0004210550.tif 000012
【図１２】
0004210550.tif 000013
【図１３】
0004210550.tif 000014
【図１４】
0004210550.tif 000015
【図１５】
0004210550.tif 000016
【図１６】
0004210550.tif 000017
【図１７】
0004210550.tif 000018
【図１８】
0004210550.tif 000019
【図１９】
0004210550.tif 000020
【図２０】
0004210550.tif 000021
【図２１】
0004210550.tif 000022
【図２２】
0004210550.tif 000023
【図２３】
0004210550.tif 000024